(57)【要約】【課題】光学的記録媒体の記録品質の判定と、記録品質が不良または劣化している場合のデータの保護とを容易に、かつ速やかに行えるようにする。【解決手段】ディスク発行システム３は、光学的記録媒体にデータを記録し、光学的記録媒体からデータを読み取る光ディスクドライブ２０と、光ディスクドライブ２０による読取状態に基づいて、光学的記録媒体の記録品質の良否を判定する品質判定部９１と、品質判定部９１により光学的記録媒体の記録品質が不良または劣化状態であると判定された場合に、光学的記録媒体に記録されているデータを、光ディスクドライブ２０によって光学的記録媒体自体または別の光学的記録媒体に記録させる記録制御部９２と、を備える。【選択図】図３
2011159333.tif 000002
【特許請求の範囲】
【請求項１】
光学的記録媒体にデータを記録する記録部と、
光学的記録媒体に記録されたデータを読み取る読取部と、
前記読取部による読取状態に基づいて、前記光学的記録媒体の記録品質の良否を判定する品質判定部と、
前記品質判定部により前記光学的記録媒体の記録品質が不良または劣化状態であると判定された場合に、前記光学的記録媒体に記録されているデータを、前記記録部によって前記光学的記録媒体自体または別の光学的記録媒体に記録させる記録制御部と、
を備えることを特徴とする記録媒体処理装置。
【請求項２】
前記記録制御部は、記録品質が不良または劣化状態であると判定された前記光学的記録媒体の未記録領域の記録可能容量と、前記光学的記録媒体に記録されているデータ量とに基づいて、前記記録部によって前記光学的記録媒体自体に前記データを記録するか、別の光学的記録媒体に記録させるかを決定すること、
を特徴とする請求項１記載の記録媒体処理装置。
【請求項３】
前記記録制御部は、前記記録部によって前記光学的記録媒体とは別の光学的記録媒体にデータを記録させた場合に、前記記録部によって、前記光学的記録媒体に記録されているデータを読み取るためのインデックス情報を読取不能とすること、
を特徴とする請求項１または２記載の記録媒体処理装置。
【請求項４】
前記光学的記録媒体の印刷用領域に印刷を行う印刷部と、
前記記録制御部の制御に従って、前記光学的記録媒体に記録されているデータが前記記録部によって前記光学的記録媒体とは別の光学的記録媒体に記録された場合に、この別の前記光学的記録媒体の印刷用領域に、修復された光学的記録媒体であることを示す文字または画像を前記印刷部によって印刷させる印刷制御部と、を備えたこと、
を特徴とする請求項１から３のいずれかに記載の記録媒体処理装置。
【請求項５】
前記記録制御部は、前記品質判定部により記録品質が不良または劣化状態であると判定された前記光学的記録媒体が書換え型の光学的記録媒体であった場合に、この前記光学的記録媒体に記録されたデータを前記記録部によって同じ前記光学的記録媒体に記録させること、
を特徴とする請求項１から４のいずれかに記載の記録媒体処理装置。
【請求項６】
前記品質判定部は、前記記録制御部の制御に従って、書換え型の前記光学的記録媒体に記録されたデータが前記記録部によって同じ前記光学的記録媒体に記録された場合に、この記録後の前記光学的記録媒体の記録品質の良否を判定し、
前記記録制御部は、前記記録部によって同じ前記光学的記録媒体にデータを記録させた場合の前記光学的記録媒体の記録品質が、前記品質判定部により記録品質が不良または劣化状態であると判定された場合には、前記光学的記録媒体に記録されているデータを前記記録部によって前記光学的記録媒体とは別の光学的記録媒体に記録させること、
を特徴とする請求項５記載の記録媒体処理装置。
【請求項７】
光学的記録媒体にデータを記録する記録部と、光学的記録媒体に記録されたデータを読み取る読取部と、を備えた記録媒体処理装置を制御して、
前記読取部による読取状態に基づいて、前記光学的記録媒体の記録品質の良否を判定し、前記光学的記録媒体の記録品質が不良または劣化状態であると判定した場合に、前記光学的記録媒体に記録されているデータを、前記記録部によって前記光学的記録媒体自体または別の光学的記録媒体に記録させること、
を特徴とする記録媒体処理装置の制御方法。
【請求項８】
光学的記録媒体にデータを記録する記録部と、光学的記録媒体に記録されたデータを読み取る読取部と、を備えた記録媒体処理装置を制御する制御部が実行可能なプログラムであって、
前記読取部による読取状態に基づいて、前記光学的記録媒体の記録品質の良否を判定し、前記光学的記録媒体の記録品質が不良または劣化状態であると判定した場合に、前記光学的記録媒体に記録されているデータを、前記記録部によって前記光学的記録媒体自体または別の光学的記録媒体に記録させること、
を特徴とするプログラム。
【発明の詳細な説明】
【技術分野】
【０００１】
本発明は、光学的記録媒体へのデータの記録と記録されたデータの読取とが可能な記録媒体処理装置、この記録媒体処理装置の制御方法、及び、プログラムに関する。
【背景技術】
【０００２】
近年、保存目的でデータを記録するデータストレージとして、光学的にデータの記録及び読み出しが可能な光学的記録媒体が使われている。このような光学的記録媒体は、記録時のレーザー出力と使用されている色素の特性の不整合や、外光による劣化等によって、記録品質が低下することがあった。このため、光学的記録媒体の劣化の測定や評価を行う手法が提案されている（例えば、特許文献１参照）。特許文献１の方法では、光学的記録媒体に信号を記録し、記録した信号を再生して、この再生信号に基づいて記録膜の劣化の評価を行う。
【先行技術文献】
【特許文献】
【０００３】
【特許文献１】特開２０００−３１１３４９号公報
【発明の概要】
【発明が解決しようとする課題】
【０００４】
ところで、光学的記録媒体の劣化、或いは記録品質が低いことが判明した場合、読み取りが完全にできなくならないうちに、光学的記録媒体からデータを読み取って別の記録媒体に退避させる等の措置が必要である。しかしながら、このような作業は、光学的記録媒体を評価し、その結果を見て、必要に応じてデータを読み取って他の記録媒体に記録するという面倒な作業を、光学的記録媒体を一つずつ取り替えながら行う必要があり、非常に負担の大きい作業であった。
そこで、本発明の目的は、上述した事情に鑑みてなされたものであり、光学的記録媒体の記録品質の判定と、記録品質が不良または劣化している場合のデータの保護とを容易に、かつ速やかに行えるようにすることにある。
【課題を解決するための手段】
【０００５】
上記目的を達成するため、本発明は、光学的記録媒体にデータを記録する記録部と、光学的記録媒体に記録されたデータを読み取る読取部と、前記読取部による読取状態に基づいて、前記光学的記録媒体の記録品質の良否を判定する品質判定部と、前記品質判定部により前記光学的記録媒体の記録品質が不良または劣化状態であると判定された場合に、前記光学的記録媒体に記録されているデータを、前記記録部によって前記光学的記録媒体自体または別の光学的記録媒体に記録させる記録制御部と、を備えることを特徴とする。
本発明によれば、光学的記録媒体の記録品質の良否を判定し、記録品質が不良または劣化状態であった場合は記録されているデータを、この光学的記録媒体自体または別の光学的記録媒体に記録させるので、光学的記録媒体の記録品質の判定と、記録品質が不良または劣化状態の場合のデータの保護とを容易に、かつ速やかに行うことができる。また、記録品質が不良または劣化状態の場合に、その光学的記録媒体自体にデータを記録して、新しい光学的記録媒体を消費することなくデータの保護を図ることも、新たに別の光学的記録媒体にデータを退避させることもでき、データの保護方法の自由度を高めることができる。
【０００６】
また、本発明は、上記の記録媒体処理装置において、前記記録制御部は、記録品質が不良または劣化状態であると判定された前記光学的記録媒体の未記録領域の記録可能容量と、前記光学的記録媒体に記録されているデータ量とに基づいて、前記記録部によって前記光学的記録媒体自体に前記データを記録するか、別の光学的記録媒体に記録させるかを決定すること、を特徴とする。
本発明によれば、光学的記録媒体の記録品質が不良または劣化状態の場合に、この光学的記録媒体の記録可能容量が十分に残っていれば、この記録可能容量を活用してデータを保護できるので、省資源化を図りつつデータを保護できる。また、記録品質が不良または劣化状態と判定された光学的記録媒体自体を使用するか否かを自動的に決定してデータの保護を行うので、少ない作業負担でデータの保護と省資源化を両立できる。
【０００７】
また、本発明は、上記の記録媒体処理装置において、前記記録制御部は、前記記録部によって前記光学的記録媒体とは別の光学的記録媒体にデータを記録させた場合に、前記記録部によって、前記光学的記録媒体に記録されているデータを読み取るためのインデックス情報を読取不能とすること、を特徴とする。
本発明によれば、記録品質が不良または劣化状態と判定された光学的記録媒体を再利用しない場合に、この光学的記録媒体を、データを読み取り不能な状態にするので、この光学的記録媒体を廃棄等した場合のデータの漏洩等を確実に防止できる。これにより、光学的記録媒体の記録品質の判定とデータの退避を容易に行うことができ、かつ、記録品質が不良または劣化状態の光学的記録媒体の管理負担を軽減できる。
【０００８】
また、本発明は、上記の記録媒体処理装置において、前記光学的記録媒体の印刷用領域に印刷を行う印刷部と、前記記録制御部の制御に従って、前記光学的記録媒体に記録されているデータが前記記録部によって前記光学的記録媒体とは別の光学的記録媒体に記録された場合に、この別の前記光学的記録媒体の印刷用領域に修復された光学的記録媒体であることを示す文字または画像を前記印刷部によって印刷させる印刷制御部と、を備えたこと、を特徴とする。
本発明によれば、記録品質が不良または劣化状態と判定された光学的記録媒体から別の光学的記録媒体にデータを退避させた場合に、この別の光学的記録媒体に、光学的記録媒体の記録品質の不良または劣化状態によりデータを退避したことを示す印刷が施されるので、新しい光学的記録媒体が作成された経緯を把握しやすく、誤用を避けることができる。これにより、光学的記録媒体の管理負担を軽減できる。
【０００９】
また、本発明は、上記の記録媒体処理装置において、前記記録制御部は、前記品質判定部により記録品質が不良または劣化状態であると判定された前記光学的記録媒体が書換え型の光学的記録媒体であった場合に、この前記光学的記録媒体に記録されたデータを前記記録部によって同じ前記光学的記録媒体に記録させること、を特徴とする。
本発明によれば、書換え型の光学的記録媒体の記録品質が不良または劣化状態の場合に、この光学的記録媒体を再利用してデータを退避させるので、書換え型記録媒体の特性を生かして、少ない作業負担でデータの保護と省資源化を両立できる。
【００１０】
また、本発明は、上記の記録媒体処理装置において、前記品質判定部は、前記記録制御部の制御に従って、書換え型の前記光学的記録媒体に記録されたデータが前記記録部によって同じ前記光学的記録媒体に記録された場合に、この記録後の前記光学的記録媒体の記録品質の良否を判定し、前記記録制御部は、前記記録部によって同じ前記光学的記録媒体にデータを記録させた場合の前記光学的記録媒体の記録品質が、前記品質判定部により記録品質が不良または劣化状態であると判定された場合には、前記光学的記録媒体に記録されているデータを前記記録部によって前記光学的記録媒体とは別の光学的記録媒体に記録させること、を特徴とする。
本発明によれば、書換え型の光学的記録媒体の記録品質が不良または劣化状態の場合に、この光学的記録媒体を再利用してデータを退避させて、省資源化を図りつつデータを保護し、光学的記録媒体自体の劣化等により退避させたデータの記録品質が不良または劣化状態の場合は新しい光学的記録媒体を用いてデータを退避させるので、書換え型記録媒体の特性を生かしてデータの保護と省資源化を両立し、かつ、データを確実に保護できる。
【００１１】
また、上記目的を達成するため、本発明は、光学的記録媒体にデータを記録する記録部と、光学的記録媒体に記録されたデータを読み取る読取部と、を備えた記録媒体処理装置を制御して、前記読取部による読取状態に基づいて、前記光学的記録媒体の記録品質の良否を判定し、前記光学的記録媒体の記録品質が不良または劣化状態であると判定した場合に、前記光学的記録媒体に記録されているデータを、前記記録部によって前記光学的記録媒体自体または別の光学的記録媒体に記録させること、を特徴とする。
本発明の制御方法を実行することにより、光学的記録媒体の記録品質の良否が判定され、記録品質が不良または劣化状態であった場合は記録されているデータが、この光学的記録媒体自体または別の光学的記録媒体に記録されるので、光学的記録媒体の記録品質の判定と、記録品質が不良または劣化状態の場合のデータの保護とを容易に、かつ速やかに行うことができる。また、記録品質が不良または劣化状態の場合に、その光学的記録媒体自体にデータを記録して、新しい光学的記録媒体を消費することなくデータの保護を図ることも、新たに別の光学的記録媒体にデータを退避させることもでき、データの保護方法の自由度を高めることができる。
【００１２】
また、上記目的を達成するため、本発明は、光学的記録媒体にデータを記録する記録部と、光学的記録媒体に記録されたデータを読み取る読取部と、を備えた記録媒体処理装置を制御する制御部が実行可能なプログラムであって、前記読取部による読取状態に基づいて、前記光学的記録媒体の記録品質の良否を判定し、前記光学的記録媒体の記録品質が不良または劣化状態であると判定した場合に、前記光学的記録媒体に記録されているデータを、前記記録部によって前記光学的記録媒体自体または別の光学的記録媒体に記録させること、を特徴とする。
本発明のプログラムを実行することにより、光学的記録媒体の記録品質の良否が判定され、記録品質が不良または劣化状態であった場合は記録されているデータが、この光学的記録媒体自体または別の光学的記録媒体に記録されるので、光学的記録媒体の記録品質の判定と、記録品質が不良または劣化状態の場合のデータの保護とを容易に、かつ速やかに行うことができる。また、記録品質が不良または劣化状態の場合に、その光学的記録媒体自体にデータを記録して、新しい光学的記録媒体を消費することなくデータの保護を図ることも、新たに別の光学的記録媒体にデータを退避させることもでき、データの保護方法の自由度を高めることができる。
【発明の効果】
【００１３】
本発明によれば、光学的記録媒体の記録品質の判定と、記録品質が不良または劣化状態の場合のデータの保護とを容易に、かつ速やかに行うことができる。
【図面の簡単な説明】
【００１４】
【図１】ディスク発行システムの概略構成を示す図である。
【図２】ディスク発行装置の構成を示す図である。
【図３】ディスク発行システムの機能ブロック図である。
【図４】記録品質判定処理を示すフローチャートである。
【発明を実施するための形態】
【００１５】
以下、図面を参照して本発明に係る実施形態について説明する。
図１は、本実施形態に係るディスク発行システム３の構成を概略的に示す正面図であり、図２は、ディスク発行システム３が備えるディスク発行装置１の装置本体１０の内部を上から見た図である。
図１に示すように、本発明の記録媒体処理装置を適用したディスク発行システム３は、ディスク発行装置１と、このディスク発行装置１を制御するホストコンピューター２とを備えて構成される。
ディスク発行装置１は、箱形に形成された装置本体１０の内部に、記録ディスクＤの記録面にデータを記録するデータ記録処理を施す２台の光ディスクドライブ２０と、記録ディスクＤのレーベル面に文字、図形、絵柄等を形成する印刷装置３０とを備える。
【００１６】
光学的記録媒体としての記録ディスクＤは、レーザー光等を利用したデータの記録（書込）、読み取り等が可能な光学的記録媒体であり、一回のみデータを記録可能な追記型（ライトワンス型）ディスクと、記録済みのデータの消去及び繰り返しの記録が可能な書き換え可能な書換え型ディスクとがある。追記型ディスクは、いったんレーザー光を照射してデータを記録した領域に重ねてデータを記録することはできないが、データを記録した後であっても、データが記録されていない領域にデータを書き込むこと（いわゆる追記）が可能である。また、追記型ディスクにおいて既にデータが記録された領域に、記録時と同等またはこれを超える出力でレーザー光が照射されると、照射された領域に記録されていたデータが読取不能となり、いわゆるデータの破壊が可能である。これに対し、書換え型ディスクは、レーザー光によるデータの記録が可能で、かつ、既にデータが記録された領域にレーザー光を照射することで、記録前の状態に戻すこと（いわゆる消去）や、データを記録すること（いわゆる上書き）が可能である。
記録ディスクＤは、ＣＤ規格、ＤＶＤ規格、Ｂｌｕ−ｒａｙ（登録商標）Ｄｉｓｃ規格等の規格に準拠した光記録型ディスクが挙げられるが、これらの後継規格として将来策定される規格に準拠した光記録型ディスクも記録ディスクＤとして使用できる。追記型ディスクの具体例としては、ＣＤ−Ｒ、ＤＶＤ±Ｒ、ＢＤ−Ｒ等があり、書換え型ディスクの具体例としてはＣＤ−ＲＷ、ＤＶＤ±ＲＷ、ＤＶＤ−ＲＡＭ、ＢＤ−ＲＥ等がある。
記録ディスクＤの一方の盤面には、データの記録、読取、消去のためにレーザー光が照射される記録面が形成され、他方の盤面は、例えばインクを吸着する吸着層が形成され、文字や図形、絵柄等の画像を記録可能なレーベル面となっている。
【００１７】
読取部及び記録部として機能する２台の光ディスクドライブ２０は、それぞれ、光ディスクドライブ本体２１と、この光ディスクドライブ本体２１に引き出し自在に設けられたディスクトレイ２２とを備え、ディスクトレイ２２には、記録ディスクＤが嵌め込まれてセットされる略円形の凹部２３（図２）が形成されている。光ディスクドライブ２０は、レーザー光源（図示略）及びディスクトレイ２２を移送するローディング機構（図示略）を備え、ホストコンピューター２の制御に従って、後述する搬送装置６０によりディスクトレイ２２にセットされた記録ディスクＤに対するデータの記録、追記、消去、或いはデータの読取を行う。
【００１８】
印刷部としての印刷装置３０は、例えば、ＣＭＹＫの４色またはこれに淡色インクを加えた６色のインクを用い、記録ディスクＤのレーベル面にインクを吐出することにより、記録ディスクＤのレーベル面に文字、図形、画像等を印刷するインクジェット式プリンターである印刷装置３０は、記録装置本体３１と、この記録装置本体３１に引き出し自在に設けられたディスクトレイ３２とを備え、搬送装置６０によりディスクトレイ３２に載置された記録ディスクＤを、ディスクトレイ３２とともに内部にローディングして、記録ディスクＤのレーベル面への印刷を行う。
ディスク発行装置１は、光ディスクドライブ２０によって記録ディスクＤの記録面にデータを記録し、印刷装置３０によって記録ディスクＤのレーベル面に画像を印刷する。
【００１９】
図１に示すように、ディスク発行装置１の装置本体１０は、ディスク発行装置１の土台たる装置本体下部１３に、装置本体上部１２を載置して構成される。装置本体上部１２の内部である装置本体内部１０Ａには、２台の光ディスクドライブ２０及び印刷装置３０に加え、第１スタッカー４１、第２スタッカー４２、搬送装置６０が配置されている。
２台の光ディスクドライブ２０，２０と印刷装置３０は、図１に示すように上下に積層配置されている。また、図２に示すように、２台の光ディスクドライブ２０、２０及び印刷装置３０は、装置本体上部１２の背面１２Ａ側に偏って配置され、装置本体上部１２の他方の側には、第１スタッカー４１及び第２スタッカー４２が上下に並べて配置されている。第１スタッカー４１及び第２スタッカー４２は、装置本体１０の前面１２Ｂ側に偏って配置されており、これら第１スタッカー４１及び第２スタッカー４２の後方には、搬送装置６０のアーム部６１を支持するガイド６２が配置される。
【００２０】
装置本体内部１０Ａの前面１２Ｂには、開口部１４が形成されている。開口部１４は、開口部１４の他端１４Ａに設けられたドア軸１６に回動自在に支持される枠体１５Ａと、この枠体１５Ａに取り付けられた透明板１５Ｂとを備える装置カバー１５によって覆われ、装置カバー１５を開くと、装置本体内部１０Ａに配置された各装置にアクセス可能となる。また、装置カバー１５が閉状態であっても、透明板１５Ｂを介して装置本体内部１０Ａの各装置を視認できる。
装置カバー１５には、装置カバー１５の開閉状態を検出し、開閉検出信号として出力する開閉検出センサー（図示略）が設けられ、この開閉検出センサーによって装置カバー１５の閉状態が検出されているときのみ、ディスク発行装置１に設けられた光ディスクドライブ２０や印刷装置３０、搬送装置６０等の装置が稼動し、装置カバー１５が開状態とされると、ディスク発行装置１に設けられた各装置の動作が停止する構成となっている。
【００２１】
第１スタッカー４１は有底円筒形状に形成され、内部に数十枚（例えば、５０枚）程度の記録ディスクＤを積載して収納する収納部４１Ａが形成されている。この第１スタッカー４１は、装置本体内部１０Ａに固定された第１スタッカーベース４１Ｂに着脱自在に載置されている。第１スタッカー４１の外壁の一部には、下方に向かって長尺に切り欠かれた切り欠き部４１Ｃが形成されており、この切り欠き部４１Ｃを介して搬送装置６０のアーム部６１が収納部４１Ａの下部まで進行可能に構成されている。また、第２スタッカー４２は、第１スタッカー４１と略同一の構成を有し、第１スタッカー４１の下方に、後述する搬送装置６０のアーム部６１が挿入可能な間隙Ｋを空けて、第２スタッカーベース４２Ｂに着脱自在に配置されている。また、第２スタッカー４２の外壁には第１スタッカー４１と略同様の切り欠き部４２Ｃが形成されており、上記間隙Ｋに挿入されたアーム部６１はこの切り欠き部４２Ｃを介して収納部４２Ａの下部まで進行可能である。
【００２２】
また、装置本体内部１０Ａの下部には、図１に二点鎖線で示すように、必要に応じて増設スタッカー５７を設置可能である。以下の説明では増設スタッカー５７が設置された場合について説明する。増設スタッカー５７は、第１スタッカー４１及び第２スタッカー４２と同様に有底円筒形状に形成され、内部に数十枚（例えば、５０枚）程度の記録ディスクＤを積載して収納する増設ディスク収納部５７Ａを有する。
第１スタッカー４１、第２スタッカー４２及び増設スタッカー５７には、装置カバー１５を開いてアクセス可能であり、記録ディスクＤの搬入作業や取り出し作業を行える。ディスク発行装置１では、装置本体内部１０Ａへの塵埃等の進入を防止するため、第１スタッカー４１、第２スタッカー４２、及び増設スタッカー５７に対する記録ディスクＤの出し入れ作業時やメンテナンス時以外は、基本的に装置カバー１５を閉じることとされている。
【００２３】
一方、装置本体下部１３には、数枚の記録ディスクＤを収納可能なディスク収納部５３を有する第３スタッカー５０が設けられている。装置本体内部１０Ａの光ディスクドライブ２０や印刷装置３０が配置される側には、図２に示すように、背面１２Ａへ向かって凹んだ状態で第３スタッカー引込部５１（図２参照）が形成され、この第３スタッカー引込部５１に図２中矢印Ａで示す方向に引き出し／引き込み自在に第３スタッカー５０が取り付けられ、装置カバー１５を閉じた状態でも引出口１７から第３スタッカー５０を引き出して、記録ディスクＤの出し入れを行うことができるよう構成されている。このため、光ディスクドライブ２０、印刷装置３０や搬送装置６０が動作している状態でも、第３スタッカー５０を引出口１７から引き出して、第３スタッカー５０に対して記録ディスクＤの出し入れを行える。
【００２４】
第１スタッカー４１、第２スタッカー４２及び増設スタッカー５７は、光ディスクドライブ２０や印刷装置３０に供給される記録ディスクＤを収納する供給側のスタッカーとして使用することも、光ディスクドライブ２０でデータを記録する処理が行われた後または印刷装置３０で印刷が行われた後の記録ディスクＤを収納する排出側のスタッカーとして使用することもできる。また、光ディスクドライブ２０によるデータの記録と印刷装置３０による印刷との両方を連続して行う場合に、各スタッカーは、光ディスクドライブ２０によるデータの記録と印刷装置３０による印刷との合間に一時的に記録ディスクＤを集積する用途にも使用できる。各スタッカーの用途はディスク発行装置１自体における操作またはホストコンピューター２による操作によって、予め設定できる。
これに対し、第３スタッカー５０は排出側スタッカーとしてのみ使用され、第３スタッカー５０に集積された記録ディスクＤは、ディスク発行装置１の外に取り出される。
【００２５】
ディスク発行装置１は、上記のように配置される光ディスクドライブ２０、印刷装置３０、第１スタッカー４１、第２スタッカー４２、増設スタッカー５７及び第３スタッカー５０の間で、搬送装置６０によって記録ディスクＤを搬送する。
搬送装置６０は、図１に示すように、装置本体１０の装置本体内部１０Ａに立設された棒状のガイド６２と、このガイド６２に支持され、このガイド６２に沿って上下方向に摺動すると共に、ガイド６２を中心に回動する駆動部６３と、この駆動部６３に支持されたアーム部６１と、このアーム部６１の先端に設けられ、記録ディスクＤの中央部に形成されたクランプ領域をつかんで保持するハンドリング部６４と、を備えている。
駆動部６３には、ガイド６２における駆動部６３の上下方向における位置や、ガイド６２の軸を中心とした駆動部６３の回動位置に基づいてハンドリング部６４の位置を検出する位置検出センサー（図示略）が設けられている。この位置検出センサーは、検出したハンドリング部６４の位置を示す信号を位置検出信号として出力する。位置検出センサーには、例えば、駆動部６３を駆動するモーターの回転角度を検出するロータリーエンコーダーや、駆動部６３自体の位置を検出するリニアエンコーダーまたはガイド６２の特定位置で駆動部６３の有無を検出する光センサー等を適用できる。
【００２６】
また、装置本体上部１２の前面１２Ｂにおいて、図１における正面視左下部にはディスク発行装置１の電源をオン／オフする電源スイッチ１８が設けられ、また正面視左上部には、ディスク発行装置１が備える各部の動作状態等を報知する表示パネル７０が設けられている。表示パネル７０には、ディスク発行装置１の電源のオン／オフ状態を示す電源状態表示部７１、印刷装置３０における各色のインク残量を示すインク残量表示部７２、及び、各スタッカーの状態を示すスタッカー状態表示部７３等が設けられている。これらの各表示部は、例えばＬＥＤ（発光ダイオード）の点灯状態によって各種状態を表示する。また、インク残量表示部７２は、印刷装置３０で用いられるインク色毎に設けられる。
【００２７】
図３は、ディスク発行システム３の構成を示す機能ブロック図である。
ホストコンピューター２は、ホストコンピューター２の各部を中枢的に制御するホスト側制御部８０、ホスト側制御部８０の制御に従って、液晶表示パネル（図示略）等からなる表示画面に各種情報を表示する表示部８１、キーボードやマウス等の入力デバイス（図示略）の操作を検出して操作信号をホスト側制御部８０に出力する入力部８２、ホスト側制御部８０により実行されるプログラムや処理対象のデータあるいは処理結果のデータ等を記憶するハードディスク装置やフラッシュメモリー等を備えた記憶部８３、及び、通信ケーブル等を介してディスク発行装置１との間で各種信号を送受信するインターフェイス部８４を備えている。
ホスト側制御部８０は、各種プログラムを実行するＣＰＵ、ＣＰＵにより実行される基本制御プログラムや、この基本制御プログラムに係るデータ等を不揮発的に記憶するＲＯＭ、ＣＰＵに実行されるプログラムや処理対象のデータ等を一時的に記憶するＲＡＭ、及び、その他の周辺回路等の図示しない各部を備えている。
【００２８】
ホスト側制御部８０は、ＲＯＭに記憶された基本制御プログラムを読み出して実行することにより、ホストコンピューター２の各部を制御し、この基本制御プログラムまたはユーザーの入力デバイスの操作による指示に従って、ディスク発行装置制御用のプログラムを記憶部８３から読み出して実行して、ディスク発行装置１を制御する。
すなわち、ホスト側制御部８０は、ディスク発行装置制御用のプログラムを実行して、記録ディスクＤに対するデータの記録を行わせる場合には、光ディスクドライブ２０によってデータを記録させるための制御情報、及び、記録ディスクＤに記録すべきデータを、インターフェイス部８４を介してディスク発行装置１へ送信する。ここで送信される制御情報には、例えば、各々の光ディスクドライブ２０、２０により記録を行う記録ディスクＤの枚数を指定する情報や、搬送装置６０により記録ディスクＤを搬送する搬送元の位置、搬送先の位置、搬送する枚数等を指定する情報が含まれる。
また、ホスト側制御部８０は、ディスク発行装置制御用のプログラムを実行して、記録ディスクＤのレーベル面の印刷を行わせる場合には、印刷装置３０によって印刷を実行させるための制御情報、及び、記録ディスクＤに印刷すべき文字や画像のデータを、インターフェイス部８４を介してディスク発行装置１へ送信する。ここで送信される制御情報には、例えば、印刷装置３０によって印刷する記録ディスクＤの枚数を指定する情報や、搬送装置６０により記録ディスクＤを搬送する搬送元の位置、搬送先の位置、搬送する枚数等を指定する情報が含まれる。
【００２９】
一方、ディスク発行装置１の制御系は、２台の光ディスクドライブ２０、印刷装置３０、及び搬送装置６０に接続された装置側制御部８６を備え、この装置側制御部８６はインターフェイス部８７を介してホストコンピューター２に接続されている。
装置側制御部８６は、ディスク発行装置１の各部を中枢的に制御するものであり、ホスト側制御部８０と同様、図示しないＣＰＵ、ＲＯＭ、ＲＡＭ及びその他の周辺回路を備えている。
【００３０】
装置側制御部８６は、ホストコンピューター２から送信される制御情報やデータを、インターフェイス部８７を介して受信し、この制御情報に従って、光ディスクドライブ２０、印刷装置３０及び搬送装置６０を制御する。装置側制御部８６は、搬送装置６０を制御して記録ディスクＤを光ディスクドライブ２０、印刷装置３０、第１スタッカー４１、第２スタッカー４２、増設スタッカー５７及び第３スタッカー５０の間で搬送し、光ディスクドライブ２０を制御して記録ディスクＤへのデータの記録を行わせ、印刷装置３０を制御して記録ディスクＤのレーベル面への印刷を行わせる。
【００３１】
ここで、搬送装置６０が記録ディスクＤを搬送する動作と、光ディスクドライブ２０がデータを記録する動作、及び、印刷装置３０がレーベル面に印刷する動作とのタイミングの制御は、装置側制御部８６が行ってもよいし、ホストコンピューター２のホスト側制御部８０が行ってもよい。例えば、光ディスクドライブ２０によって記録ディスクＤにデータを記録する場合、光ディスクドライブ２０がディスクトレイ２２を開き、搬送装置６０が第１スタッカー４１の記録ディスクＤをピックアップしてディスクトレイ２２に運び、ディスクトレイ２２に載置し、その後に光ディスクドライブ２０がディスクトレイ２２を閉じて記録ディスクＤをローディングし、光ディスクドライブ２０がデータの記録を行い、記録が完了してからディスクトレイ２２を開き、この開かれたディスクトレイ２２の上の記録ディスクＤを、搬送装置６０がピックアップして第２スタッカー４２、増設スタッカー５７または第３スタッカー５０に搬送する。この場合の光ディスクドライブ２０と搬送装置６０の動作タイミングは、ホスト側制御部８０がディスク発行装置１に送信する制御情報に含まれる情報により規定してもよいし、ホスト側制御部８０がディスク発行装置１に制御情報を送信するタイミングにより制御してもよく、装置側制御部８６が搬送装置６０及び光ディスクドライブ２０を直接制御してもよい。また、この場合に、光ディスクドライブ２０及び搬送装置６０が、一つの動作を実行する毎に、現在の動作状態を装置側制御部８６またはホスト側制御部８０へ送信してもよい。
【００３２】
また、ホスト側制御部８０は、品質判定部９１、記録制御部９２、及び、印刷制御部９３を備えている。
ホスト側制御部８０は、品質判定部９１の機能により、光ディスクドライブ２０によって記録ディスクＤに記録されたデータが読み取られた場合の読み取り信号から、ジッターエラー、Ｃ１エラー、Ｃ２エラーを検出し、このエラーの数が予め設定されたしきい値を超えるか否かに基づいて、記録ディスクＤの記録品質の良否を判定する。ジッターエラーは、読取信号の時間軸方向のずれにより生じた読み取りエラーであり、Ｃ１エラーは、誤り訂正符号ＣＩＲＣ（Cross Interleave Reed-Solomon Code）のＣ１符号を使っても訂正できなかったエラーであり、Ｃ２エラーは、ＣＩＲＣのＣ２符号を用いても訂正できなかったエラーである。本実施形態では、ＣＤ規格に準拠した記録ディスクＤを想定して、記録ディスクＤの記録品質（読み取り品質）の指標としてジッターエラー、Ｃ１エラー、及びＣ２エラーを用いる場合を例に挙げて説明するが、記録ディスクＤの種類、記録フォーマット、誤り訂正方式等の仕様に合わせて、他の指標を用いることも勿論可能である。
また、エラーのしきい値は、読み取ったデータ量に対するエラー発生頻度、エラー発生率、記録ディスクＤの１枚あたりのエラー発生数等として設定され、ホスト側制御部８０が備えるＲＡＭや記憶部８３に記憶されている。
【００３３】
そして、品質判定部９１によって記録ディスクＤの記録品質が不良（不良または劣化状態）と判定された場合、ホスト側制御部８０は、記録制御部９２の機能により、記録ディスクＤから読み取ったデータを保護するため、その記録ディスクＤ自体に存在する空き領域や、他の新しい記録ディスクＤに、光ディスクドライブ２０によって記録させる。新しい記録ディスクＤに記録する場合、記録制御部９２は、光ディスクドライブ２０とともに搬送装置６０を制御して、新品の記録ディスクＤを第２スタッカー４２から光ディスクドライブ２０へ搬送させ、もとの記録ディスクＤは、印刷装置３０へ搬送する。
また、印刷制御部９３は、品質判定部９１によって記録ディスクＤの記録品質が不良と判定され、記録制御部９２の機能によって新しい記録ディスクＤにデータが記録された場合に、印刷装置３０によって、もとの記録品質が不良と判定された記録ディスクＤのレーベル面に、不要の記録ディスクであることを示す文字や画像を印刷させる。印刷制御部９３は、印刷装置３０を制御するとともに、印刷装置３０によって印刷された記録ディスクＤを、廃棄用として指定されたスタッカー、例えば第３スタッカー５０に搬送させる。
以上の品質判定部９１、記録制御部９２及び印刷制御部９３の機能による一連の処理を、記録品質判定処理と呼ぶ。以下、この記録品質判定処理について説明する。
【００３４】
図４は、ディスク発行システム３により実行される記録品質判定処理を示すフローチャートである。
この記録品質判定処理に先だって、処理対象の記録ディスクＤが第１スタッカー４１に収容されており、搬送装置６０によって第１スタッカー４１から記録ディスクＤが１枚ずつピックアップされ、処理される。また、第２スタッカー４２には、データを退避させるための新品の、未記録の記録ディスクＤが収容されている。
そして、記録品質に問題がない記録ディスクＤ、データを記録しなおした記録ディスクＤ、及び、データを退避させた新しい記録済みの記録ディスクＤは、増設スタッカー５７に収容される。また、第３スタッカー５０は、記録品質が不良と判定され、廃棄される記録ディスクＤを収容する廃棄用のスタッカーとして使用される。
【００３５】
ホストコンピューター２のホスト側制御部８０は、まず、品質判定部９１の機能により、搬送装置６０によって第１スタッカー４１から記録ディスクＤを光ディスクドライブ２０のディスクトレイ２２に搬送させ、光ディスクドライブ２０によって記録ディスクＤに記録されたデータを読み取らせて、読取信号をインターフェイス部８７、８４を介して取得し、記録品質を測定する（ステップＳ１１）。このステップＳ１１で、品質判定部９１は、光ディスクドライブ２０によって記録ディスクＤに記録された全てのデータを読み取らせ、この読取信号を記憶部８３に記憶するとともに、読取信号中のジッターエラー、Ｃ１エラー、Ｃ２エラーをカウントする。
【００３６】
この読み取りを行う間、品質判定部９１は、光ディスクドライブ２０が記録ディスクＤを読み取り不能となるか否かを監視する（ステップＳ１２）。記録ディスクＤの傷、汚損、劣化等により光ディスクドライブ２０による読み取り動作が継続できなくなった場合（ステップＳ１２；Ｙｅｓ）、品質判定部９１は記録ディスクＤの記録品質不良と判定し、続いて、記録制御部９２の機能により光ディスクドライブ２０を制御して、記録ディスクＤのＴＯＣが記録された領域に記録用またはそれ以上の出力でレーザー光を照射して、ＴＯＣを破壊する（ステップＳ１３）。ＴＯＣ（Table of Contents）は記録ディスクＤに記録されたデータの読み出しに必要なインデックスであり、ＴＯＣが破壊された記録ディスクＤからは、データ自体の記録領域が無傷であってもデータの読み出しが極めて困難になる。
【００３７】
続いて、印刷制御部９３の機能により、搬送装置６０が制御され、記録ディスクＤがディスクトレイ２２から印刷装置３０まで搬送され、印刷装置３０によって記録ディスクＤのレーベル面に印刷される。このステップでは、例えば、記録ディスクＤのレーベル面に、「読取不能」、「無効」、「Invalid」等の文字や「×」等の記号あるいは画像が印刷される。その後、印刷制御部９３の機能により搬送装置６０が制御され、印刷後の記録ディスクＤが印刷装置３０のディスクトレイ３２から第３スタッカー５０に搬送され（ステップＳ１４）、本処理が終了される。なお、未処理の記録済み記録ディスクＤが第１スタッカー４１に残っている場合には、ステップＳ１１から処理が繰り返される。
【００３８】
光ディスクドライブ２０によって記録ディスクＤの全てのデータの読み取りが完了した場合（ステップＳ１２；Ｎｏ）、ホスト側制御部８０は、品質判定部９１の機能によって、検出したエラーがしきい値以上であるか否かを判別する（ステップＳ１５）。品質判定部９１の機能により、検出されたエラーがしきい値に満たないと判別された場合（ステップＳ１５；Ｎｏ）、記録ディスクＤの記録品質に問題が無いと判定され（ステップＳ１６）、搬送装置６０が制御されて、ディスクトレイ２２から指定された増設スタッカー５７に記録ディスクＤが搬送され（ステップＳ１７）、本処理が終了される。
【００３９】
一方、品質判定部９１の機能によって検出したエラーがしきい値以上であると判別された場合（ステップＳ１５；Ｙｅｓ）、記録制御部９２により、記録ディスクＤの種類が追記型の記録媒体か書換え型の記録媒体かが判別される（ステップＳ１８）。この判別は、例えば、ステップＳ１１でデータを読み取る間、或いはデータの読み取りに先立って光ディスクドライブ２０が記録ディスクＤをローディングした際に、実行されてもよい。
記録ディスクＤが追記型であった場合（ステップＳ１８；Ｙｅｓ）、記録制御部９２の機能により、記録ディスクＤの空き領域の記録可能容量が、記録ディスクＤから読み取った全てのデータを記録するのに十分か否かが判別される（ステップＳ１９）。記録可能容量が十分な場合（ステップＳ１９；Ｙｅｓ）、記録制御部９２により、ステップＳ１１で記録ディスクＤから読み取られたデータが、光ディスクドライブ２０によって、その記録ディスクＤに書き戻される（ステップＳ２０）。さらに、品質判定部９１の機能により、光ディスクドライブ２０によって書き戻された領域から再びデータが読み取られ、書き戻された領域の記録品質が測定される（ステップＳ２１）。ここで、読取信号から検出されたエラーが記憶部８３に記憶されたしきい値以上であるか否かが判別され（ステップＳ２２）、エラーがしきい値に満たない場合は（ステップＳ２２；Ｎｏ）、印刷制御部９３の機能によって搬送装置６０が制御されて記録ディスクＤがディスクトレイ２２から印刷装置３０のディスクトレイ３２へ搬送され、印刷装置３０によって、記録ディスクＤのレーベル面にデータ保護の履歴が印刷される（ステップＳ２３）。ここでは、記録ディスクＤの読取品質が不良であり、空き領域にデータが退避され、退避されたデータの記録品質が良好であること等を示す文字、記号あるいは画像がレーベル面に印刷される。その後、印刷制御部９３の機能によって搬送装置６０が制御され、記録ディスクＤがディスクトレイ３２から増設スタッカー５７に搬送され、本処理が終了される。
【００４０】
また、記録ディスクＤの空き領域に十分な記録可能容量がない場合（ステップＳ１９；Ｎｏ）、及び、記録ディスクＤの空き領域に書き戻されたデータの記録品質が不良であった場合（ステップＳ２２；Ｙｅｓ）には、記録制御部９２の機能によって搬送装置６０が制御され、新しい記録ディスクＤが第１スタッカー４１からディスクトレイ２２に搬送されて、記録ディスクＤからステップＳ１１で読み出されたデータが、新しい記録ディスクＤに記録される（ステップＳ２５）。続いて、記録ディスクＤはディスクトレイ２２からディスクトレイ３２に搬送されて、印刷装置３０によって、記録ディスクＤのレーベル面にデータ保護の履歴が印刷される（ステップＳ２６）。ここでは、記録ディスクＤの読取品質が不良であり、新しい記録ディスクＤにデータが退避されたこと等を示す文字、記号あるいは画像がレーベル面に印刷される。その後、印刷制御部９３の機能によって搬送装置６０が制御され、新しい記録ディスクＤがディスクトレイ３２から増設スタッカー５７に搬送される（ステップＳ２７）。さらに、データが読み出された記録ディスクＤに対し、光ディスクドライブ２０によって、レーザー光によりＴＯＣが破壊される（ステップＳ２８）。この記録ディスクＤは、印刷制御部９３の制御により印刷装置３０に搬送されて、不要で読み取りができない記録ディスクＤであることを示す文字、記号或いは画像が印刷され、廃棄用の第３スタッカー５０に搬送され（ステップＳ２９）、本処理が終了される。
【００４１】
一方、記録ディスクＤが追記型でなく書換え型であった場合（ステップＳ１８；Ｎｏ）、記録制御部９２の機能により、ステップＳ１１で読み取られたデータが記録ディスクＤに対して再び書き込まれる（ステップＳ３０）。この書き込みは、既に書き込まれていたデータを消去しながら書き込む、いわゆる上書きである。その後、品質判定部９１の制御によって記録ディスクＤの書き直された領域の記録品質が測定される（ステップＳ３１）。ここで、読取信号から検出されたエラーが記憶部８３に記憶されたしきい値以上であるか否かが判別され（ステップＳ３２）、エラーがしきい値に満たない場合は（ステップ３３２；Ｎｏ）、搬送装置６０が制御されて記録ディスクＤがディスクトレイ２２から増設スタッカー５７に搬送され（ステップＳ３３）、本処理が終了される。
また、記録ディスクＤに書き直されたデータの記録品質が不良であった場合（ステップＳ３２；Ｙｅｓ）には、記録制御部９２の機能によって搬送装置６０が制御され、新しい記録ディスクＤが第１スタッカー４１からディスクトレイ２２に搬送されて、記録ディスクＤからステップＳ１１で読み出されたデータが、新しい記録ディスクＤに記録される（ステップＳ３４）。続いて、記録ディスクＤはディスクトレイ２２からディスクトレイ３２に搬送されて、ステップＳ２３及びＳ２６と同様に、印刷装置３０によって、記録ディスクＤのレーベル面にデータ保護の履歴が印刷される（ステップＳ３５）。その後、印刷制御部９３の機能によって搬送装置６０が制御され、新しい記録ディスクＤがディスクトレイ３２から増設スタッカー５７に搬送される（ステップＳ３６）。さらに、データが読み出された書換え型の記録ディスクＤに対し、光ディスクドライブ２０によってデータの消去が行われ（ステップＳ３７）、印刷制御部９３の制御により印刷装置３０に搬送されて、不要な記録ディスクＤであることを示す文字、記号或いは画像が印刷され、廃棄用の第３スタッカー５０に搬送され（ステップＳ３８）、本処理が終了される。
【００４２】
以上説明したように、本実施形態に係るホストコンピューター２は、記録ディスクＤにデータを記録する光ディスクドライブ２０と、記録ディスクＤに記録されたデータを読み取る光ディスクドライブ２０と、光ディスクドライブ２０による読取状態に基づいて、記録ディスクＤの記録品質の良否を判定する品質判定部９１と、品質判定部９１により記録ディスクＤの記録品質が不良であると判定された場合に、記録ディスクＤに記録されているデータを、光ディスクドライブ２０によって記録ディスクＤ自体または別の記録ディスクＤに記録させる記録制御部９２と、を備え、記録ディスクＤの記録品質の良否を判定し、記録品質が不良であった場合は記録ディスクＤに記録されているデータを、この記録ディスクＤの空き領域、または、別の記録ディスクＤに記録させる。これにより、記録ディスクＤの記録品質の判定と、記録品質が不良の場合のデータの保護とを容易に、かつ速やかに行うことができる。また、記録ディスクＤの空き領域にデータを退避させる場合に、新しい記録ディスクＤを消費しないため、データの保護と省資源化を図ることができる。さらに、上記のフローチャートに示した動作において記録ディスクＤの空き領域の容量に関わらず新しい記録ディスクＤにデータを退避させることも勿論可能であり、データの保護方法の自由度を高めることができる。
【００４３】
また、ディスク発行システム３において、記録制御部９２により、記録品質が不良であると判定された記録ディスクＤの空き領域の記録可能容量が、記録ディスクＤに記録されているデータ量とに基づいて、記録ディスクＤ自体にデータを退避させるか、別の記録ディスクＤに記録させるかが決定され、記録ディスクＤの記録可能容量が十分であれば、この記録可能容量を活用してデータを保護できるので、省資源化を図りつつデータを保護できる。
また、記録品質が不良と判定された記録ディスクＤ自体を使用するか否かは自動的に判別されるので、少ない作業負担でデータの保護と省資源化を両立できる。
さらに、記録制御部９２の制御により、光ディスクドライブ２０によって新しい記録ディスクＤにデータを記録させた場合に、記録ディスクＤに記録されているデータを読み取るためのインデックス情報であるＴＯＣを破壊して読取不能とするので、この記録ディスクＤを廃棄等した場合のデータの漏洩等を確実に防止できる。これにより、記録ディスクＤの記録品質の判定とデータの退避を容易に行うことができ、かつ、記録品質が不良の記録ディスクＤの管理負担を軽減できる。
【００４４】
ディスク発行システム３の印刷制御部９３により、記録ディスクＤに記録されているデータが光ディスクドライブ２０によって新しい記録ディスクＤに記録された場合に、この新しい記録ディスクＤの印刷用領域としてのレーベル面に履歴等を印刷させるので、記録ディスクＤが新しく作成された経緯等を記録ディスクＤ自体に表記することができ、記録ディスクＤの管理に要する負担を軽減できる。
また、不要となった記録ディスクＤには、不要の記録ディスクＤであることを明示する文字、記号あるいは画像を印刷するので、誤用を避けることができる。これにより、記録ディスクＤの記録品質の判定とデータの退避を容易に行うことができ、かつ、不良の記録ディスクＤの管理負担を軽減できる。
【００４５】
ディスク発行システム３は、品質判定部９１により記録品質が不良であると判定された記録ディスクＤが書換え型の記録ディスクＤであった場合に、記録制御部９２によって、この記録ディスクＤにデータを書き直して再利用し、データを退避させるので、書換え型記録媒体の特性を生かして、少ない作業負担でデータの保護と省資源化を両立できる。
さらに、記録制御部９２によって書換え型の記録ディスクＤに記録されたデータが同じ記録ディスクＤに書き直された場合に、この記録後の記録ディスクＤの記録品質の良否が判定され、その記録品質が不良であると判定された場合には、記録ディスクＤに記録されているデータが新しい記録ディスクＤに記録されるので、書換え型記録媒体の特性を生かしてデータの保護と省資源化を両立し、かつ、データを確実に保護できる。
【００４６】
なお、上述した実施の形態は、あくまでも本発明の一態様を示すものであり、本発明の範囲内で任意に変形及び応用が可能である。
例えば、上述した実施形態では、ディスク発行装置１に接続された２のホスト側制御部８０により、ディスク発行装置１の光ディスクドライブ２０、印刷装置３０及び搬送装置６０を制御して、図４の記録品質判定処理を実行するものとして説明したが、本発明はこれに限定されるものではなく、ディスク発行装置１の装置側制御部８６が、品質判定部９１、記録制御部９２及び印刷制御部９３に相当する機能および記録ディスクＤから読み取ったデータを一時的に保持する記憶部を備え、記録品質判定処理を実行することも、勿論可能である。この場合、ホストコンピューター２に接続することなく、ディスク発行装置１のみによって記録品質判定処理を実行できる。
また、複数のディスク発行装置１を、一台のホストコンピューター２に接続し、このホストコンピューター２のホスト側制御部８０によって各々のディスク発行装置１を制御して、同時に複数のディスク発行装置１によって記録品質判定処理を実行してもよい。
さらに、記録品質判定処理において、複数の光ディスクドライブ２０を交互に使用して連続して複数の記録ディスクＤを処理してもよく、その他の細部構成等についても任意に変更可能である。
また、本発明は、スタンドアロン型のディスク発行装置１とホストコンピューター２とを接続して構成されるディスク発行システム３に限定されず、他の装置にディスク発行装置１の機能を組み込んだ組み込み型の構成に適用することも可能であるし、ディスク発行装置１が備える光ディスクドライブ２０、印刷装置３０及び搬送装置６０を個別にホストコンピューター２が制御して、ディスク発行システム３と同等の構成として、本発明を適用することも勿論可能である。
【符号の説明】
【００４７】
１…ディスク発行装置、２…ホストコンピューター、３…ディスク発行システム（記録媒体処理装置）、２０…光ディスクドライブ（読取部、記録部）、３０…印刷装置（印刷部）、４１…第１スタッカー、４２…第２スタッカー、５０…第３スタッカー、５７…増設スタッカー、６０…搬送装置、８０…ホスト側制御部、８６…装置側制御部、９１…品質判定部、９２…記録制御部、９３…印刷制御部、Ｄ…記録ディスク（光学的記録媒体）。
【図１】
2011159333.tif 000003
【図２】
2011159333.tif 000004
【図３】
2011159333.tif 000005
【図４】
2011159333.tif 000006